(57)【特許請求の範囲】
【請求項１】
パチンコ機の裏側に設けられ、複数の制御装置と接続する複数のコネクタが制御基板の一側部に一列に実装され、遊技全般を電気的に制御する主制御装置と、
前記主制御装置から出力されるコマンドにより遊技作動部品を電気的に制御する複数の制御装置と、
島側から供給される交流電源を直流電源に変換する電源装置と、
前記電源装置から前記主制御装置及び複数の制御装置に対して供給される直流電源を中継し、複数の制御装置と接続する複数のコネクタが一列に実装される電源中継装置とを備え、
前記主制御装置と前記電源中継装置とを前記パチンコ機の裏側で前記電源中継装置の複数のコネクタが、前記制御基板の複数のコネクタが一列に実装される一側部側に位置するように互いに近傍に設けることで、前記主制御装置の複数のコネクタと前記電源中継装置の複数のコネクタとが互いに同一方向に配置され、かつ、接続される制御装置毎に同じ順序で配置されたことを特徴とするパチンコ機の裏機構。
【請求項２】
パチンコ機の裏側に設けられ、複数の制御装置と接続する複数のコネクタが制御基板の一側部に一列に実装され、遊技全般を電気的に制御する主制御装置と、
前記主制御装置から出力されるコマンドにより遊技作動部品を電気的に制御する複数の制御装置と、
島側から供給される交流電源を直流電源に変換する電源装置と、
前記電源装置から前記主制御装置及び複数の制御装置に対して供給される直流電源を中継し、複数の制御装置と接続する複数のコネクタが一列に実装される電源中継装置とを備え、
前記主制御装置と前記電源中継装置とを前記パチンコ機の裏側で前記電源中継装置の複数のコネクタが、前記制御基板の複数のコネクタが一列に実装される一側部側に位置するように互いに近傍に設けることで、前記主制御装置の複数のコネクタと前記電源中継装置の複数のコネクタとが互いに左右方向に配置され、かつ、接続される制御装置毎に同じ順序で配置されたことを特徴とするパチンコ機の裏機構。
【請求項３】
前記主制御装置が前記制御基板を格納するケースを備え、前記ケースが前記電源中継装置を取付けるための取付部を備えたことを特徴とする請求項１又は請求項２に記載のパチンコ機の裏機構。
【請求項４】
前記電源中継装置に設けられた複数のコネクタと前記主制御装置に設けられた複数のコネクタとが主制御装置および複数の制御装置毎に異なる色で分けられたことを特徴とする請求項１乃至請求項３いずれかに記載のパチンコ機の裏機構。  
【発明の詳細な説明】
【０００１】
【発明の属する技術分野】
本発明は、パチンコ機における制御装置と電源中継装置とからなる裏機構に関する。
【０００２】
【従来の技術】
特開平６−４７１５６号公報で開示されたパチンコ機の裏機構は、パチンコ店における島トランスと呼ばれる島側電源装置から受電したＡＣ２４ボルトのような交流電源を直流電源に変換する機能を有する電源装置が役物制御装置や発射制御装置等の複数の制御装置とは別に配置され、この単独の電源装置から各制御装置に対し必要な直流電源を供給するものである。
【０００３】
【発明が解決しようとする課題】
前記従来のパチンコ機の裏機構において、電源装置から制御装置に供給される電源を中継する電源中継装置を設けることにより、パチンコ機の異なる機種に共通に使用し得る電源装置を得ることはできるが、電源中継装置が配置される場所によっては、電源装置と電源中継装置とを接続する配線、電源中継装置と制御装置とを接続する配線等が複雑に交差した形態となってしまう。
【０００４】
そこで、本発明は、配線の形態簡素化が図れるパチンコ機の裏機構を提供するものである。
【０００５】
【課題を解決するための手段】
本発明にあっては、パチンコ機の裏側に設けられ、複数の制御装置と接続する複数のコネクタが制御基板の一側部に一列に実装され、遊技全般を電気的に制御する主制御装置と、前記主制御装置から出力されるコマンドにより遊技作動部品を電気的に制御する複数の制御装置と、島側から供給される交流電源を直流電源に変換する電源装置と、前記電源装置から前記主制御装置及び複数の制御装置に対して供給される直流電源を中継し、複数の制御装置と接続する複数のコネクタが一列に実装される電源中継装置とを備え、前記主制御装置と前記電源中継装置とを前記パチンコ機の裏側で前記電源中継装置の複数のコネクタが、前記制御基板の複数のコネクタが一列に実装される一側部側に位置するように互いに近傍に設けることで、前記主制御装置の複数のコネクタと前記電源中継装置の複数のコネクタとが互いに同一方向に配置され、かつ、接続される制御装置毎に同じ順序で配置されたことを特徴としている。また、パチンコ機の裏側に設けられ、複数の制御装置と接続する複数のコネクタが制御基板の一側部に一列に実装され、遊技全般を電気的に制御する主制御装置と、前記主制御装置から出力されるコマンドにより遊技作動部品を電気的に制御する複数の制御装置と、島側から供給される交流電源を直流電源に変換する電源装置と、前記電源装置から前記主制御装置及び複数の制御装置に対して供給される直流電源を中継し、複数の制御装置と接続する複数のコネクタが一列に実装される電源中継装置とを備え、前記主制御装置と前記電源中継装置とを前記パチンコ機の裏側で前記電源中継装置の複数のコネクタが、前記制御基板の複数のコネクタが一列に実装される一側部側に位置するように互いに近傍に設けることで、前記主制御装置の複数のコネクタと前記電源中継装置の複数のコネクタとが互いに左右方向に配置され、かつ、接続される制御装置毎に同じ順序で配置されたことを特徴としている。よって、本発明によれば、制御装置が遊技全般を電気的に制御する主制御装置と主制御装置から一方向に出力されるコマンドにより遊技作動部品を電気的に制御する従制御装置とから構成され、電源装置から電源中継装置を経由して主制御装置や従制御装置に直流電源を供給する形態であっても、電源中継装置が制御装置の近傍に配置されているので、電源装置と電源中継装置とを接続する配線、電源中継装置と制御装置とを接続する配線等が系統毎に整然とまとめられ、配線形態の簡素化を図ることができる。
又、本発明にあっては、制御装置が遊技全般を電気的に制御する主制御装置であれば、制御装置が遊技全般を電気的に制御する主制御装置と主制御装置から一方向に出力されるコマンドにより遊技作動部品を電気的に制御する従制御装置とから構成され、電源装置から電源中継装置を経由して主制御装置や従制御装置に直流電源を供給する形態であっても、電源中継装置と主制御装置とを接続する配線、電源中継装置と従制御装置とを接続する配線、主制御装置と従制御装置とを接続する配線等が各制御系毎にまとめられる。
又、本発明にあっては、主制御装置が制御基板を格納するケースを備え、ケースが電源中継装置を取付けるための取付部を備えれば、電源中継装置が制御装置に簡単に取付けられる。
又、本発明にあっては、前記電源中継装置に設けられた複数のコネクタと前記主制御装置に設けられた複数のコネクタとが主制御装置および複数の制御装置毎に異なる色で分けられれば、配線を電源中継装置の各コネクタ及び主制御装置の各コネクタの色分けに従って適切に結束できる。  
【０００６】
【発明の実施の形態】
図１〜図１２は本発明の第１実施形態であって、図１は電源中継装置１と主制御装置２０とが組立られた外観を示し、図２と図３及び図４は電源中継装置１と主制御装置２０とを分解して示し、図５は電源中継装置１と主制御装置２０とが組立られた断面を示し、図６は主制御装置２０の第１固定ブロック２９と第２固定ブロック６１と固定ねじ６５とを分解した断面を示し、図７は第２ケース３５の第１係合部４１と第３ケース４８の第１係合部５２とが組立てられた断面を示し、図８はパチンコ機の配線系統を示し、図９はパチンコ機の背面を示し、図１０は部品取付体１１０の外観を示し、図１１は電源中継装置１と主制御装置２０とが遊技盤に取付けられた側面を示し、図１２はパチンコ機の正面を示す。
【０００７】
図１を参照し、電源中継装置１と主制御装置２０とが組立てらてた構造について説明する。電源中継装置１は、直流（以下、ＤＣと称する）電源を少なくとも主制御装置２０に中継するものであって、主制御装置の近傍に配置される。第１実施形態の電源中継装置１では、装置ベース２と中継基板１５とが重ね合せられる。そして、電源中継装置１の下半部が主制御装置２０の前面に重ね合され、タッピングねじのような止ねじ７９が主制御装置２０の電源中継取付孔部６０から中継基板１５を経由して装置ベース２に締結され、電源中継装置１が主制御装置２０の前側に取付けられ、電源中継装置１の第１〜第８コネクタＣＮ１〜ＣＮ８と主制御装置２０の第１１〜第２２コネクタＣＮ１１〜ＣＮ２２とが互いに近傍で横一列に配置される。
【０００８】
図２〜図４を参照し、電源中継装置１及び主制御装置２０の構造について説明する。図２において、電源中継装置１の装置ベース２は、透視性の有る無色な合成樹脂で裏側開放状の箱型に形成される。第１実施形態の装置ベース２では、横長な四角形状の前壁３の周囲より周壁４を裏側に突出し、前壁３と周壁４とにより裏側に開放された収容室５を形成し、リブ６、複数の取付孔部７、複数の支持部８、複数の係合部９、複数の突起１０、位置決定用突部１１等を有する。リブ６は、前壁３より収容室５内に向けて突出し、周壁４にも連なる格子状である。支持部８は、中継基板１５の周縁を受止めるものであって、周壁４より収容室５内に向けて突出する。取付孔部７は、中継基板１５を装置ベース２に取付けるものであって、収容室５内の前壁３より裏側に向けて突出し、上部左右に配置される。係合部９は、電源中継装置１と主制御装置２０とを相互に取付けるものであって、前壁３の前側面より収容室５側に窪むように膨出形成された溝状であり、下部の左・右・中間それぞれに配置される。
【０００９】
中継基板１５は、回路基板１６の表面に電源中継に必要な第１コネクタ〜第８コネクタＣＮ１〜ＣＮ８を左右方向に一列に実装し、回路基板１６の裏面に第１コネクタ〜第８コネクタＣＮ１〜ＣＮ８それぞれの相互接続用のパターン配線を備え、回路基板１６の上部左右に取付孔１７を有し、回路基板１６の中間に位置決定用孔１８を有する。そして、中継基板１５が装置ベース２の裏側より収容室５に格納され、装置ベース２の位置決定用突部１１と中継基板１５の位置決定用孔１８とが嵌め合され、装置ベース２の取付孔部７と中継基板１５の取付孔１７との位置が合い、中継基板１５のパターン配線側面がリブ６と取付孔部７及び支持部８に搭載されることにより、中継基板１５と前壁３との間には図５に示す中継基板１５のパターン配線や半田等を逃げる隙間が形成される。
【００１０】
図２及び図３において、主制御装置２０は、中継基板１５より供給された電力で遊技全般を制御するように動作するものであって、図１１の遊技盤１００の裏側に配置される。第１実施形態の主制御装置２０では、図３の第１ケース２１、図３の第２ケース３５、図２の第３ケース４８、図３の制御基板７０を備え、制御基板７０が第１ケース２１と第２ケース３５とより形成された内部空間に格納される。それから、第１ケース２１と第２ケース３５と制御基板７０とが第２ケース３５側からタッピングねじのような止ねじ７７で結合され、第１ケース２１と第２ケース３５とが第２ケース３５側からタッピングねじのような止ねじ７８で結合される。その後、第２ケース３５と第３ケース４８とが前後に重ね合されて第１ケース２１側から固定ねじ６５で固定されることにより、止ねじ７７；７８が第３ケース４８で覆われて取外操作不能となる。
【００１１】
図３において、第１ケース２１は透視性の有る無色な合成樹脂で前側開放状の箱型に形成される。第１実施形態の第１ケース２１では、前側に開放された横長な部品配置室２２の周囲より裏壁２３が横方向に突出し、前側に開放された基板収納室２４が裏壁２３と裏壁２３の周囲より前側に突出した周壁２５とにより形成され、部品配置室２２と基板収納室２４とが相互に連なる前側に開放された１つの空間を形成し、複数の取付孔部２６、複数のコネクタ逃孔２７、複数の結合孔部２８、複数の第１固定ブロック２９等を有する。取付孔部２６は、制御基板７０を第１ケース２１に取付けるものであって、裏壁２３の四隅より裏側に向けて突出し、裏面が閉鎖された筒状である。コネクタ逃孔２７は、裏壁２３を前後に貫通し、裏壁２３の上側に左右方向に一列に配置される。結合孔部２８は、第１ケース２１と第２ケース３５とを相互に取付けるものであって、裏壁２３及び周壁２５より外側に突出し、裏面が閉鎖された筒状であり、上側左右と下側中間との３点に配置される。
【００１２】
第２ケース３５は透視性の有る無色な合成樹脂で裏側開放状の箱型に形成される。第１実施形態の第２ケース３５では、横長な四角形状の前壁３６の周囲より周壁３７が裏側に突出し、周壁３７より内側に配置された横長な四角環状の支持壁３８が前壁３６より裏側に突出し、周壁３７と支持壁３８との間に第１ケース２１の周壁２５を収納する取込溝３９を形成し、複数の取付孔部４０、複数の第１係合部４１、複数の型抜孔４２、複数の第２係合部４３、複数の結合孔部４４等を有する。支持壁３８は制御基板７０の周縁を受止めるものである。取込溝３９は周壁３７と支持壁３８と前壁３６とにより囲まれた裏側開放状の横長な四角環状の窪みである。
【００１３】
取付孔部４０は、第１ケース２１と第２ケース３５及び制御基板７０を相互に止ねじ７７で取付けるものであって、支持壁３８の四隅に配置される。第１係合部４１は、第２ケース３５と第３ケース４８とを相互に前部で取付けるものであって、支持壁３８よりも内側の前壁３６より前側への突片の先端より下向きに延設された縦片を備えたＬ字形であり、左・右・中間に配置される。型抜孔４２は第１係合部４１を形成するための型要素が取除かれた成形跡であって、前壁３６の第１係合部４１と対応する部分に配置される。第２係合部４３は、第２ケース３５と第３ケース４８とを相互に左右側部で取付けるものであって、周壁３７より横外側への突片の先端より前後への抜止片を備えたＴ字形であり、周壁３７の左右上下の４点に配置される。結合孔部４４は、第１ケース２１と第２ケース３５とを相互に取付けるものであって、前壁３６及び周壁３７より外側に突出した半円形の筒状であり、上部左右及び下部中央の３点に配置される。
【００１４】
図２において、第３ケース４８は透視性の有る無色な合成樹脂で裏側開放状の箱型に形成される。第１実施形態の第３ケース４８では、横長な四角形状の前壁４９の周囲より周壁５０が裏側に突出し、リブ５１、複数の第１係合部５２、複数の第２係合部５３、複数の止ねじ操作防止部５４、複数の第１取付部５５、複数の窓５６、第２取付部５７Ａ、突起５７Ｂ、複数の電源中継係合部５８、複数の型抜孔５９、複数の電源中継取付孔部６０、複数の第２固定ブロック６１等を有する。リブ５１は、前壁４９より裏側に向けて突出しており、周壁５０にも連なる格子状である。
【００１５】
第１係合部５２は、第２ケース３５と第３ケース４８とを相互に前部で取付けるものであって、前壁４９との間に隙間を有するように、リブ５１より連接された横棒のような形態であり、第２ケース３５の第１係合部４１と位置が対応する。第２係合部５３は、第２ケース３５と第３ケース４８とを相互に左右側部で取付けるものであって、周壁５０より裏側への突片の上端より下方に窪む溝状であり、第２ケース３５の第２係合部４３と位置が対応する。止ねじ操作防止部５４は、第１ケース２１と第２ケース３５と第３ケース４８とが組立てられた状態において、止ねじ７７；７８が取外されるのを防止するものであって、前壁４９及び周壁５０より外側に膨出しており、第２ケース３５の上部左右の結合孔部４４を前側より覆う。
【００１６】
第１取付部５５は、主制御装置２０を図１０の部品取付体１１０に取付けるものであって、リブ５１より下方に向けてクランク型に延設されており、図１０の部品取付体１１０の第１取付部１１０ｃに嵌め込み係合される。窓５６は、主制御装置２０を部品取付体１１０に取付ける際に、部品取付体１１０の第１取付部１１０ｃを取り込むためのものであって、第１取付部５５の周囲で前壁４９に設けられる。第２取付部５７Ａは、主制御装置２０を部品取付体１１０に取付けるものであって、前壁４９より前側に突出しており、部品取付体１１０の第２取付部１１０ｄに嵌め込み係合される。
【００１７】
電源中継係合部５８は、電源中継装置１と主制御装置２０とを相互に取付けるものであって、前壁４９より前側に膨出しており、電源中継装置１の係合部９と位置が対応する。左右両側の電源中継係合部５８は、電源中継装置１の左右の係合部９に係合すると共に電源中継装置１の左右方向への横移動を規制し得る形態である。型抜孔５９は電源中継係合部５８を形成するための型要素が取除かれた成形跡であって、前壁４９の電源中継係合部５８と対応する部分に配置される。電源中継取付孔部６０は、電源中継装置１と主制御装置２０とを相互に取付けるものであって、前壁４９及び周壁５０より上方に突出しており、電源中継装置１の取付孔部７及び取付孔１７と位置が対応する。
【００１８】
図４において、第１ケース２１に設けられた第１固定ブロック２９は、第１ケース２１より連接されたブロックベース３０、ブロックベース３０より下側に配置された複数の筒状の固定個所部３１、各固定個所部３１とブロックベース３０とを連結する第１連結片３２、各固定個所部３１相互を連結する第２連結片３３を備える。固定個所部３１は図６にも示すように裏側の大孔部３１ａと前側の小孔部３１ｂとを有する。大孔部３１ａの孔径はタッピングねじのような固定ねじ６５のねじ部６５ａ及び頭部６５ｂが直線的に挿入し得る大きさである。小孔部３１ｂの孔径は固定ねじ６５のねじ部６５ａの中間部が係合し得ると共に固定ねじ６５のくびれ部６５ｃが回転可能に係合し得る大きさである。
【００１９】
図２において、第３ケース４８に設けられた第２固定ブロック６１は、第３ケース４８の下部より下方に突出した平坦なブロックベース６２、ブロックベース６２の周囲より裏側に突出された周壁６３、ブロックベース６２の裏側面より前側に円筒状に膨出された複数の固定個所部６４を備える。固定個所部６４は図６にも示すように筒状の内部孔６４ａの前側が閉鎖された行止まり形状である。固定個所部６４は第１固定ブロック２９の固定個所部３１と位置が対応する。
【００２０】
図４及び図６にも示すように、固定ねじ６５は、雄ねじが外周面に形成されたタッピングねじのようなねじ部６５ａ、ねじ部６５ａより大きな頭部６５ｂ、ねじ部６５ａと頭部６５ｂとの間に形成されたくびれ部６５ｃを備える。ねじ部６５ａはくびれ部より先端側に行くに従って徐々に細くなる。ねじ部６５ａの雄ねじのくびれ部側終端の螺旋は閉鎖され、ねじ部６５ａとくびれ部６５ｃとの境を形成する。
【００２１】
そして、固定ねじ６５のねじ部６５ａが第１固定ブロック２９の固定個所部３１から第２固定ブロック６１の固定個所部６４に締結されることにより、固定ねじ６５のねじ部６５ａが第１固定ブロック２９の固定個所部３１の小孔部３１ｂを前側に乗越え、固定ねじ６５のくびれ部６５ｃが第１固定ブロック２９の固定個所部３１の小孔部３１ｂに嵌め込まれる。これによって、固定ねじ６５は取外操作により締結時とは逆方向に回転されても、くびれ部６５ｃを介して回転するだけで、第１固定ブロック２９の固定個所部３１より取外不能となる。
【００２２】
第１固定ブロック２９に後付けされる固定ねじカバー６６は、固定ねじ６５が第１固定ブロック２９の固定個所部３１の全部に挿入されたままねじ部６５ａ又はくびれ部６５ｃが小孔部３１ｂに嵌め込まれていない状態において、固定ねじ６５が固定個所部３１より脱落しないように、固定ねじ６５の脱落防止を図るものであって、透視性の有る無色な合成樹脂で板状に形成される。固定ねじカバー６６は固定個所部３１及び第２連結片３３を覆うものであって、固定個所部３１と対応する部分に十字形のスロット６６ａを有し、固定ねじ６５が第１固定ブロック２９の固定個所部３１の全部に挿入された後に、第１固定ブロック２９の裏側に接着剤等で接合される。
【００２３】
図３において、制御基板７０は、回路基板７１の四隅に取付孔７２を備え、回路基板７１の表面に制御に必要な電気部品７３を実装し、回路基板７１の裏面に上記実装された電気部品７３全部の相互接続用のパターン配線を備える。電気部品７３としては、ＣＰＵやＲＯＭ及びＲＡＭ等の半導体集積部品やその他の電気部品及び第１１コネクタ〜第２２コネクタＣＮ１１〜ＣＮ２２である。第１１コネクタ〜第２２コネクタＣＮ１１〜ＣＮ２２は回路基板７１の一側部に左右方向に一列に配置される。
【００２４】
図２及び図７を参照し、電源中継装置１と主制御装置２０との組立方について説明する。中継基板１５に実装された第１〜第８コネクタＣＮ１〜ＣＮ８が第３ケース４８側に向くように、中継基板１５が装置ベース２の収容室５に挿入される。そして、装置ベース２の係合部９が第３ケース４８の電源中継係合部５８よりも上方に位置するように、又、中継基板１５が第３ケース４８の電源中継取付孔部６０の前側に位置するように、装置ベース２と第３ケース４８とが前後に重ね合される。
【００２５】
その状態において、装置ベース２が下方に移動し、第３ケース４８が上方に移動するように、装置ベース２と第３ケース４８とが互い違いに上下方向に横移動されることにより、装置ベース１の係合部９と第３ケース４８の電源中継係合部５８とが図７に示すように相互に嵌め込み係合され、中継基板１５の取付孔１７と装置ベース２の取付孔部７と第３ケース４８の電源中継取付孔部６０との位置が前後に合う。その後、止ねじ７９が装置ベース２の前側より取付孔部７を及び取付孔１７を経由して電源中継取付孔部６０に締結される。
【００２６】
図２〜図７を参照し、主制御装置２０の組立方について説明する。制御基板７０に実装された電気部品７３が第１ケース２１の部品配置室２２に挿入されるように、制御基板７０が第１ケース２１の前側より基板収納室２４に挿入される。又、制御基板７０の第１１〜第２２コネクタＣＮ１１〜ＣＮ２２がコネクタ逃孔２７を経由して第１ケース２１の裏壁２３より裏側に突出して部品配置室２２よりも上部近傍に横一列に配置される。その後、第１ケース２１の周壁２５が第２ケース３５の取込溝３９に挿入され、第１ケース２１と第２ケース３５とが合掌状に合される。
【００２７】
その状態において、図３に示すように、止ねじ７７が第２ケース３５の前側より取付孔部４０と制御基板７０の取付孔７２とを経由して第１ケース２１の取付孔部２６に締結される。又、止ねじ７８が第２ケース３５の前側より結合孔部４４を経由して第１ケース２１の結合孔部２８に締結される。これによって、図５に示すように、制御基板７０が第１ケース２１と第２ケース３５とよりなる内部空間に格納され、第１ケース２１と第２ケース３５とが結合される。
【００２８】
そして、図３の第２ケース３５の第１・第２係合部４１；４３が図２の第３ケース４８の第１・第２係合部５２；５３よりも上方に位置するように、第２ケース３５と第３ケース４８とが前後に重ね合される。この場合、第２ケース３５の第１係合部４１は第３ケース４８の第１係合部５２とその上方の周壁３７との間の隙間に入れ込まれる。その状態において、第２ケース３５が下方に移動し、第３ケース４８が上方に移動するように、第２ケース３５と第３ケース４８とが互い違いに上下方向に横移動されることにより、第２ケース３５の第１係合部４１と第３ケース４８の第１係合部５２とが図７に示すように相互に嵌め込み係合され、第２ケース３５の第２係合部４３と第３ケース４８の第２係合部５３とが、相互に嵌め込み係合される。
【００２９】
これによって、止ねじ７７；７８が第３ケース４８で覆われて取外操作不能となる。この場合、第２ケース３５の取付孔部４０は第３ケース４８の前壁で覆われ、第２ケース３５の上部左右に位置する結合孔部４４は第３ケース４８の止ねじ操作防止部５４で覆われ、第２ケース３５の下部に位置する結合孔部４４は第３ケース４８の第２取付部５７Ａより下方の前壁４９で覆われる。
【００３０】
更に、固定ねじカバー６６で脱落防止されかつ第１固定ブロック２９に格納された複数の固定ねじ６５が第２固定ブロック６１に締結される。これによって、主制御装置２０の組立が完了する。この場合、固定ねじ６５全部を締結しても良いが、固定ねじ６５を少なくとも１本づつ使用して固定個所部３１の個数分の回数だけ、第１ケース２１と第３ケース４８との固定と解放とが繰り返されることにより、パチンコ機が、パチンコ店に設置された状態で行われる公安委員会での主制御装置２０が適正であるか否かの検査、検査終了後の固定、の観点から最良である。
【００３１】
それには、先ず、例えば左側に配置された第１固定ブロック２９における左端の固定ねじ６５と、右側に配置された第１固定ブロック２９における左端の固定ねじ６５とが、第１ケース２１と第３ケース４８との固定に用いられる。つまり、固定ねじカバー６６の左端のスロット６６ａよりドライバのような工具が、第１固定ブロック２９における左端の固定個所部３１の内部に挿入されて固定ねじ６５を前方に押しながら締結方向に回転操作される。すると、図５に示すようにも、固定ねじ６５のねじ部６５ａが第１固定ブロック２９の固定個所部３１から第２固定ブロック６１の固定個所部６４に締結され、固定ねじ６５のくびれ部６５ｃが第１固定ブロック２９の小孔部３１ｂに嵌め込まれる。これによって、第１ケース２１と第３ケース４８とが固定される。
【００３２】
その状態において、ドライバのような工具が固定ねじカバー６６の左端のスロット６６ａより差し込まれ、固定ねじ６５が取外し操作されても、固定ねじ６５のくびれ部６５ｃが第１固定ブロック２９の小孔部３１ｂに嵌め込まれているので、固定ねじ６５のねじ部６５ａと第２固定ブロック６１の固定個所部６４との締結は解除されるが、固定ねじ６５は第１固定ブロック２９の固定個所部３１の内部で回転するだけで、固定ねじ６５は裏側に移動することがなく、固定ねじ６５は第１固定ブロック２９の固定個所部３１の内部に保持され、固定ねじ６５の先端部が第２固定ブロック６１の固定個所部６４の内部に存在している。
【００３３】
そして、第１ケース２１と第３ケース４８との係合を解除しようとして、第１ケース２１が上方に持ち上げられ、第３ケース４８が下方に下げられ、第１ケース２１と第３ケース４８とが互い上下方向に横移動されても、固定ねじ６５の先端部が第２固定ブロック６１の固定個所部６４の内部に引っ掛かり、第２ケース３５の第１・第２係合部４１；４３と第３ケース４８の第１・第２係合部５２；５３との係合が解除されることはない。よって、主制御装置２０の正規のＲＯＭが不正ＲＯＭに交換されるようなことは防止できる。
【００３４】
又、検査に際しては、第１ケース２１と第３ケース４８との係合を解除する。それには、固定ねじカバー６６と共に、第１固定ブロック２９における左端の固定個所部３１とブロックベース３０とを繋ぐ第１連結片３２、左端の固定個所部３１とその右隣の固定個所部３１とを繋ぐ第２連結片３３それぞれをニッパのような工具で切断する。これによって、第１固定ブロック２９の左端の固定個所部３１と固定ねじ６５とが一緒に第２固定ブロック６１の左端の固定個所部６４より取外される。その状態において、止ねじ７７；７８が第２ケース３５の前側より取外されることにより、第１ケース２１と第２ケース３５と制御基板７０との組合わされが互いに分解され、制御基板７０に実装された電気部品７３の検査が実行できる。
【００３５】
図８を参照し、第１〜第８コネクタＣＮ１〜ＣＮ８、第１１〜第２２コネクタＣＮ１１〜ＣＮ２２について説明する。第１コネクタＣＮ１は白色系絶縁体に５本の端子を有する５ピンタイプであって、電源装置８５との接続に用いられる。第１コネクタＣＮ１の５本の端子には、ＤＣ５Ｖ、ＤＣ１２Ｖ、２本のグランド（以下、ＧＮＤと称する）、交流（以下、ＡＣと称する）２４Ｖ全波整流が個別に割当てられる。ＡＣ２４Ｖ全波整流はＡＣが４つのダイオードにより全波整流されたままのＤＣ２４Ｖを意味する。
【００３６】
第２コネクタＣＮ２は赤色系絶縁体に２本の端子を有する２ピンタイプであって、電源装置８５との接続に用いられる。第２コネクタＣＮ２の２本の端子には、電源断検出信号、パップアップ電源ＤＣ５Ｖが個別に割当てられる。第３コネクタＣＮ３は紫色系絶縁体に５本の端子を有する５ピンタイプであって、主制御装置２０の第１１コネクタＣＮ１１との接続に用いられる。第３コネクタＣＮ３の５本の端子には、ＤＣ５Ｖ、ＤＣ１２Ｖ、２本のＧＮＤ、ＡＣ２４Ｖ全波整流が個別に割当てられる。第４コネクタＣＮ４は黄色系絶縁体に５本の端子を有する５ピンタイプであって、球払出制御装置８６との接続に用いられる。第４コネクタＣＮ４の５本の端子には、ＤＣ５Ｖ、ＤＣ１２Ｖ、２本のＧＮＤ、ＡＣ２４Ｖ全波整流が個別に割当てられる。
【００３７】
第５コネクタＣＮ５は黄色系絶縁体に２本の端子を有する２ピンタイプであって、球払出制御装置８６との接続に用いられる。第５コネクタＣＮ５の２本の端子には、電源断検出信号、パップアップ電源ＤＣ５Ｖが個別に割当てられる。第６コネクタＣＮ６は桃色系絶縁体に３本の端子を有する３ピンタイプであって、表示灯制御装置８７との接続に用いられる。第６コネクタＣＮ６の３本の端子には、ＤＣ１２Ｖ、ＧＮＤ、ＡＣ２４Ｖ全波整流が個別に割当てられる。第７コネクタＣＮ７は灰色系絶縁体に２本の端子を有する２ピンタイプであって、特別図柄表示制御装置８８との接続に用いられる。第７コネクタＣＮ７の２本の端子には、ＤＣ１２Ｖ、ＧＮＤが個別に割当てられる。第８コネクタＣＮ８は若草色系絶縁体に２本の端子を有する２ピンタイプであって、効果音制御装置８９との接続に用いられる。第８コネクタＣＮ８の２本の端子には、ＤＣ１２Ｖ、ＧＮＤが個別に割当てられる。
【００３８】
第１１コネクタＣＮ１１は紫色系絶縁体に５本の端子を有する５ピンタイプであって、電源中継装置１との接続に用いられる。第１１コネクタＣＮ１１の５本の端子には、ＤＣ５Ｖ、ＤＣ１２Ｖ、２本のＧＮＤ、ＡＣ２４Ｖ全波整流が個別に割当てられる。第１２コネクタＣＮ１２は青色系絶縁体に４本の端子を有する４ピンタイプであって、普通図柄表示装置９０との接続に用いられる。第１２コネクタＣＮ１２の４本の端子には、３つのＬＥＤ用の信号線、パワー用のＤＣ１２Ｖが個別に割当てられる。第１３コネクタＣＮ１３は黄色系絶縁体に８本の端子を有する８ピンタイプであって、ホールコンピュータへの情報である外部情報を出力するための外部情報端子板９１の接続に用いられる。第１３コネクタＣＮ１３の８本の端子には、パワー用のＤＣ１２Ｖ、始動入賞情報、低確率時図柄確定回数情報、高確率時図柄確定回数情報、大当り情報、高確率及び図柄回転時間短縮情報、ホールに設けられた表示灯を大当り時に表示可能にする情報が個別に割当てられる。
【００３９】
第１４コネクタＣＮ１４は、黄色系絶縁体に１０本の端子を有する１０ピンタイプであって、球払出制御装置８６の接続に用いられる。第１４コネクタＣＮ１４の１０本の端子には、球払出制御装置８６への８本の信号線からなるコマンド情報、球払出制御装置８６へのコマンド有効情報、ＧＮＤが個別に割当てられる。第１５コネクタＣＮ１５は、桃色系絶縁体に１０本の端子を有する１０ピンタイプであって、表示灯制御装置８７の接続に用いられる。第１５コネクタの１０本の端子には、表示灯制御装置８７への８本の信号線からなるコマンド情報、表示灯制御装置８７へのコマンド有効情報、ＧＮＤが個別に割当てられる。第１６コネクタＣＮ１６は、灰色系絶縁体に１０本の端子を有する１０ピンタイプであって、特別図柄表示制御装置８８の接続に用いられる。第１６コネクタＣＮ１６の１０本の端子には、特別図柄表示制御装置８８への８本の信号線からなるコマンド情報、特別図柄表示制御装置８８へのコマンド有効情報、ＧＮＤが個別に割当てられる。
【００４０】
第１７コネクタＣＮ１７は、若草色系絶縁体に１０本の端子を有する１０ピンタイプであって、効果音制御装置８９の接続に用いられる。第１７コネクタＣＮ１７の１０本の端子には、効果音制御装置８９への８本の信号線からなるコマンド情報、効果音制御装置８９へのコマンド有効情報、ＧＮＤが個別に割当てられる。第１８コネクタＣＮ１８は、橙色系絶縁体に１０本の端子を有する１０ピンタイプであって、球払出機構９２の接続に用いられる。球払出機構９２の第１８コネクタＣＮ１８に接続される部品としては払出球待機スイッチ、払出球計数スイッチ、オーバフロースイッチ、払出球補給スイッチ等である。第１８コネクタＣＮ１８の１０本の端子には、ＧＮＤ、パワー用のＤＣ１２Ｖ、賞球補給球検出スイッチ、第１抵抗付ＤＣ１２Ｖ、賞球振動モータ負極、賞球待機球検出スイッチ、第２抵抗付ＤＣ１２Ｖ、賞球計数スイッチ、オーバーフロースイッチ、第３抵抗付ＤＣ１２Ｖが個別に割当てられる。
【００４１】
第１９コネクタＣＮ１９は、青色系絶縁体に２本の端子を有する２ピンタイプであって、図１２に示す特別図柄始動入賞口装置１２６に入賞した球を検出する始動入賞口スイッチ９３の接続に用いられる。第１９コネクタＣＮ１９の２本の端子には、スイッチ用のＤＣ１２Ｖ、スイッチ負極が個別に割当てられる。第２０コネクタＣＮ２０は、白色系絶縁体に６本の端子を有する６ピンタイプであって、右側入出力部品９４の接続に用いられる。右側入出力部品９４としては、図１２に示す第２・第４普通入賞口装置１２９；１３１に入賞した球を検出する図外の第２・第４普通入賞球検出スイッチ、図１２に示す右側の普通図柄始動入賞口装置１２７に入賞した球を検出する普通図柄始動入賞球右検出スイッチ、図１２に示す特別図柄始動入賞口装置１２６の可動体１２６ａを駆動する図外の普通電動役物ソレノイド等である。第２０コネクタＣＮ２０の６本の端子には、スイッチ用のＤＣ１２Ｖ、第２・第４普通入賞球検出情報、普通図柄始動入賞球右検出情報、パワー用のＤＣ１２Ｖ、普通電動役物ソレノイド負極が個別に割当てられる。
【００４２】
第２１コネクタＣＮ２１は、白色系絶縁体に４本の端子を有する４ピンタイプであって、左側入出力部品９５の接続に用いられる。左側入出力部品９５としては、図１２に示す第１・第３普通入賞口装置１２８；１３０に入賞した球を検出する図外の第１・第３普通入賞球検出スイッチ、図１２に示す左側の普通図柄始動入賞口装置１２７に入賞した球を検出する普通図柄始動入賞球検出左スイッチ等である。第２１コネクタＣＮ２１の４本の端子には、スイッチ用のＤＣ１２Ｖ、第１・第３普通入賞球検出情報、普通図柄始動入賞球左検出情報が個別に割当てられる。左側入出力部品９５として第１・第３普通入賞球検出スイッチや普通図柄始動入賞球左検出スイッチ等の入力部品を列挙したが、左側入出力部品９５には図外のソレノイドのような出力部品を含ませても良い。
【００４３】
第２２コネクタＣＮ２２は、白色系絶縁体に９本の端子を有する９ピンタイプであって、特定領域入出力部品９６の接続に用いられる。特定領域入出力部品９６としては、図１２に示す変動入賞口装置１３４内部に設けられた特定入賞口に入賞した球を検出する連続役物作動スイッチ（Ｖゾーン入賞球検出スイッチ）、変動入賞口装置１３４内部に設けられた右普通入賞口に入賞した球を検出するカウント左スイッチ、変動入賞口装置１３４内部に設けられた左普通入賞口に入賞した球を検出するカウント右スイッチ、変動入賞口装置１３４の開閉体１３４ａを駆動する図外のソレノイド（大入賞口ソレノイド）、変動入賞口装置１３４内部の経路を普通入賞口への経路と特定入賞口への経路とに変える可動体を駆動する図外のソレノイド（大入賞口可動体ソレノイド）等である。第２２コネクタＣＮ２２の９本の端子には、ＧＮＤ、第５抵抗付ＤＣ５Ｖ、特定領域入賞情報、カウント左情報、カウント右情報、スイッチ用のＤＣ１２Ｖ、大入賞口ソレノイド負極、大入賞口可動体ソレノイド負極、パワー用のＤＣ１２Ｖが個別に割当てられる。
【００４４】
電源装置８５のプラグ８５ａが島側トランスの２次側に接続され、電源装置８５のスイッチが投入されると、電源装置８５は島側トランスから供給されたＡＣ２４ＶをＡＣ２４Ｖ全波整流、ＤＣ１２Ｖ（定電圧）、ＤＣ５Ｖ（定電圧）等のＤＣに変換する。そして、変換後のＡＣ２４Ｖ全波整流、ＤＣ１２Ｖ、ＤＣ５Ｖが電源装置８５から電源中継装置１を経由して主制御装置２０、球払出制御装置８６、表示灯制御装置８７、特別図柄表示制御装置８８、効果音制御装置８９に供給され、主制御装置２０、球払出制御装置８６、表示灯制御装置８７、特別図柄表示制御装置８８、効果音制御装置８９が起動する。図８では図示を省略したが、球発射制御装置には球払出制御装置８６から上記変換後のＡＣ２４Ｖ全波整流、ＤＣ１２Ｖ、ＤＣ５Ｖ及び発射制御情報が供給される。
【００４５】
起動した状態において、主制御装置２０は、球払出機構９２、始動入賞口スイッチ９３、右側入出力部品９４、左側入出力部品９５、特定領域入出力部品９６等から入力された検出信号により球払出、表示灯、特別図柄表示、効果音等の制御処理を実行し、実行した処理結果に相当するコマンドを球払出制御装置８６、表示灯制御装置８７、特別図柄表示制御装置８８、効果音制御装置８９に出力する。球払出制御装置８６は主制御装置２０からのコマンドにより球払出機構９２を制御する。表示灯制御装置８７は主制御装置２０からのコマンドにより図１２に示すランプ表示装置１３５、枠上ランプ表示装置１４３、枠下ランプ表示装置１４４、バンド飾り１４２、センタ飾り１３２に設けられたセンタランプ、変動入賞口装置１３４に設けられた変動入賞口ランプ、サイドランプ表示装置１４０等における各種電球或いは発光ダイオード等の表示灯を制御する。特別図柄表示制御装置８８は主制御装置２０からのコマンドにより図１２に示す特別図柄表示装置１３３を制御する。効果音制御装置８９は主制御装置２０からのコマンドにより図外のスピーカを制御する。
【００４６】
図９を参照し、パチンコ機の裏機構について説明する。１００は遊技盤、１０１は遊技盤１００をパチンコ店の島に交換可能に取付ける額縁状の本体枠、１０２は本体枠１０１の上部に取付けられたタンク、１０３はタンク１０２の下部に配置された球誘導樋、１０４はタンク１０２の本体枠１０１への取付部に形成された開口部である。島の球補給機構よりタンク１０２に供給された球は球誘導樋１０３を経由して球払出機構８２に流入する。１０５は本体枠１０１の側部に取付けられた球払出機構８２に連結されたリアカバー、１０６は本体枠１０１の下部に取付けられた球誘導ユニットである。電源装置８５及び球払出制御装置８６は本体枠１０１に球誘導ユニット１０６を介して取付けられる。主制御装置２０と表示灯制御装置８７と特別図柄表示制御装置８８及び効果音制御装置８９は遊技盤１００に取付けられる。アウト球、入賞球は球誘導ユニット１０６により島の球捕捉手段に排出され、球払出機構８２より払出された球はパチンコ機の前面に設けられた皿装置に排出される。リアカバー１０５は、球払出機構８２を介して遊技盤１００の裏面側に閉じられることにより、主制御装置２０と表示灯制御装置８７と特別図柄表示制御装置８８及び効果音制御装置８９を覆い、不正行為を防止する。球払出機構８２は賞球用の単独であっても、賞球用及び球貸用の複数であっても良いが、複数の場合は前後に重ね合されることにより実施し得る。
【００４７】
図１０を参照し、部品取付体１１０について説明する。部品取付体１１０は、前記主制御装置２０と前記遊技盤１００との取付けを仲介するものであって、合成樹脂からなる前方及び上方開放の箱型であり、前後方向への貫通孔として形成された位置決定部１１０ａ、周縁の取付孔部１１０ｂ、裏側に突出した複数の第１取付部１１０ｃ、右側の第２取付部１１０ｄ等を備える。第２取付部１１０ｄは左端が部品取付体１１０の裏面に連接されかつ周囲に形成されたスリット１１０ｅで部品取付体１１０の裏面より分離した片持ちのレバー形状である。第２取付部１１０ｄの中間部には前後方向への貫通孔である係合孔部１１０ｆを備える。部品取付体１１０の裏面には前側に窪む横方向のガイド溝１１０ｇを備える。
【００４８】
そして、位置決定部１１０ａが図１１の遊技盤１００の裏面に取付けられたセット板１１１側に嵌合されることにより、部品取付体１１０が遊技盤１００に位置決めされる。その状態において、図外の止ねじが取付孔部１１０ｂより遊技盤１００に締結されることにより、部品取付体１１０が遊技盤１００の裏面に取付けられる。その状態において、図１に示す電源中継装置１の装着された主制御装置２０が図１０の部品取付体１１０に組付けられる。
【００４９】
それには、図２の第３ケース４８の突起５７Ｂが図１０の部品取付体１１０のガイド溝１１０ｇに裏側より挿入される。又、図２の第３ケース４８の窓５６が図１０の部品取付体１１０の第１取付部１１０ｃに裏側より挿入される。そして、主制御装置２０が右側に移動されることにより、図２の第３ケース４８の第１取付部５５が図１０の部品取付体１１０の第１取付部１１０ｃに係合し、図２の第３ケース４８の第２取付部５７Ａが、図１０の部品取付体１１０の第２取付部１１０ｄの係合孔部１１０ｆに挿入される。これによって、図１１に示すように主制御装置２０は部品取付体１１０の裏面に前後方向及び横移動不能に取付けられる。
【００５０】
図１２を参照し、パチンコ機について説明する。外枠１２０と前枠１２１とがヒンジ１２２で片開き可能に取付けられて本体枠を形成する。外枠１２０に対する前枠１２１の開閉は施錠装置１２３の人為操作を介して行われる。本体枠の内部には遊技盤１００が格納される。遊技盤１００の意匠盤面にはガイドレール１２５が設けられる。そして、ガイドレール１２５で囲まれた内側の遊技盤１００の意匠盤面は遊技領域である。遊技領域には、特別図柄始動入賞口装置１２６、普通図柄始動入賞口装置１２７、第１普通入賞口装置１２８、第２普通入賞口装置１２９、第３普通入賞口装置１３０、第４普通入賞口装置１３１、センタ飾り１３２、特別図柄表示装置１３３、変動入賞口装置１３４、普通図柄表示装置９０、ランプ表示装置１３５、サイドランプ表示装置１４０、アウト口１４１が配置される。ガイドレール１２５より外側の遊技盤１００の意匠盤面は遊技領域外である。遊技領域外にはバンド飾り１４２が配置される。前枠１２１には枠上ランプ表示装置１４３、枠下ランプ表示装置１４４、上皿装置１４５、下皿装置１４６、ハンドルグリップ１４７が配置される。ハンドルグリップ１４７が遊技者に操作されることにより、図外の球発射装置が上皿装置１４５より供給された球を遊技盤１００の遊技領域に向けて弾く。
【００５１】
特別図柄表示装置１３３は遊技盤１００の裏側に配置され、特別図柄表示装置１３３の画像表示面は遊技盤１００に開けられた窓に対応するセンタ飾り１３２の見切り枠で囲まれた開口を通し遊技盤１００の前側より視認し得る。普通図柄表示装置９０は変動入賞口装置１３４の前面に配置される。特別図柄始動入賞口装置１２６は、電チューと略称される電動チューリップ装置のように、主制御装置２０（図８参照）により制御される一対の可動体１２６ａを備える。そして、可動体１２６ａが実線示のように閉じた状態であっても可動体１２６ａ間の隙間から特別図柄始動入賞口装置１２６への球の入賞は可能であるが、可動体１２６ａが左右に開くことにより特別図柄始動入賞口装置１２６への球の入賞確率は高くなる。変動入賞口装置１３４は主制御装置２０により制御される開閉体１３４ａを備える。開閉体１３４ａは特別図柄表示装置１３３による停止図柄が主制御装置２０に予め定められた当り図柄である場合に主制御装置２０により開閉制御される。開閉体１３４ａが開くことにより変動入賞口装置１３４への球の入賞は可能であるが、開閉体１３４ａが閉じることにより変動入賞口装置１３４への球の入賞は不可能である。
【００５２】
第１実施形態では電源中継装置１が主制御装置２０に取付けられたが、図１１に仮想線で示すように、電源中継装置１が部品取付体１１０に取付けられて主制御装置２０の近傍に配置されても同様に適用できる。普通図柄始動入賞口装置１２７は、入賞球が遊技盤１００の意匠盤面側に通り抜けるゲートタイプ、入賞球が遊技盤１００の裏面側に抜ける入賞口タイプのどちらでも良い。
【図面の簡単な説明】
【図１】  本発明の第１実施形態を示す外観斜視図。
【図２】  同第１実施形態を示す分解斜視図。
【図３】  同第１実施形態を示す分解斜視図。
【図４】  同第１実施形態を示す分解斜視図。
【図５】  同第１実施形態を示す断面図。
【図６】  同第１実施形態の固定手段を示す断面図。
【図７】  同第１実施形態の第１・第２ケースの係合部を示す断面図。
【図８】  同第１実施形態の配線系統を示すブロック図。
【図９】  同第１実施形態のパチンコ機の示す背面図。
【図１０】  同第１実施形態の部品取付体を示す斜視図。
【図１１】  同第１実施形態の電源中継装置と主制御装置とが遊技盤に取付けられた側面図。
【図１２】  同第１実施形態のパチンコ機の正面図。
【符号の説明】
１  電源中継装置
２  装置ベース
３  中継基板
２０  主制御装置
２１  第１ケース
３５  第２ケース
４８  第３ケース
７０  制御基板
７９  止ねじ
【図１】
0004312324.tif 000002
【図２】
0004312324.tif 000003
【図３】
0004312324.tif 000004
【図４】
0004312324.tif 000005
【図５】
0004312324.tif 000006
【図６】
0004312324.tif 000007
【図７】
0004312324.tif 000008
【図８】
0004312324.tif 000009
【図９】
0004312324.tif 000010
【図１０】
0004312324.tif 000011
【図１１】
0004312324.tif 000012
【図１２】
0004312324.tif 000013